(57)【要約】【課題】装飾部材を取り換えることによって多様な意匠の変更が可能であると共に、透明な鏡板としても使用可能である建具を提供する。【解決手段】上下左右四辺の框部材５，６，７，７からなる框２と、框２に対し取外し自在に嵌め込まれる鏡板３とからなる建具において、鏡板３を、透明な基板４と、透明な表面板９と、基板４及び表面板９の間に挟み込まれる厚みの薄い装飾部材８とによって構成すると共に、基板４、表面板９及び装飾部材８を互いに着脱自在に構成してなる。【選択図】図１
2007085029.tif 000002
【特許請求の範囲】
【請求項１】
上下左右四辺の框部材を枠組みしてなる框と、この框に対し取外し自在に取り付けられる鏡板とからなる建具において、鏡板を、透明な基板と、透明な表面板と、基板及び表面板の間に挟み込まれる厚みの薄い装飾部材とによって構成すると共に、これら基板、表面板及び装飾部材を互いに着脱自在に構成してなることを特徴とする建具。
【請求項２】
上下左右四辺の框部材は、夫々本体部の前面側外周縁部に鏡板嵌合溝を有し、これらの嵌合溝に鏡板の上下左右側縁部を嵌合して鏡板を保持するようにしたもので、何れか一辺の框部材を取外し自在に構成してなることを特徴とする請求項１に記載の建具。
【請求項３】
上下左右四辺の框部材は、夫々本体部の前面側外周縁部に鏡板嵌合溝を有し、これらの嵌合溝に鏡板の上下左右側縁部を嵌合して鏡板を保持するようにしたもので、何れか一辺の框部材を、両端部が他の框部材の本体部と枠組み連結される本体部と、この本体部にスライド自在で取外し自在に被着されるスライド枠とで構成し、スライド枠の前面側に装飾部材嵌合溝を形成してなることを特徴とする請求項１に記載の建具。
【請求項４】
上下左右四辺の框部材は、夫々本体部の前面側外周縁部に鏡板嵌合溝を有し、これらの嵌合溝に鏡板の上下左右側縁部を嵌合して鏡板を保持するようにしたもので、何れか一辺の框部材を、両端部が他の框部材の本体部と枠組み連結される本体部と、前面側に装飾部材嵌合溝を形成した揺動枠とで構成し、揺動枠の一端部を本体部の一端部側に開閉揺動自在に枢着し、揺動枠の他端部を本体部の他端部側にネジ止めするようにしたことを特徴とする請求項１に記載の建具。
【請求項５】
上下左右四辺の框部材は、本体部の内周面後端部に夫々鏡板支持部を有し、上下両辺側框部材又は左右両辺側框部材の本体部の内側面には、押え片と取付片とからなる断面Ｌ字状の鏡板押えの取付片を、当該取付片に設けた前後方向に長い長孔を介してビス止めするようにしたことを特徴とする請求項１に記載の建具。
【請求項６】
框の内周面側に鏡板の表面板を取り付け、框の裏面側周縁部に係止布を取り付けると共に、この係止布に係脱自在に係合する係止布を基板の表面側周縁部に取り付け、表面板の裏面側に装飾部材を介して基板を配置して、この基板側の係止布を框側の係止布に係止するようにしたことを特徴とする請求項１に記載の建具。
【請求項７】
框の内周面側に鏡板の表面板を取り付け、框の裏面側周縁部に基板押当用バネ部材を設け、表面板の裏面側に装飾部材を介して基板を配置し、この基板の裏面側周縁部に基板押当用バネ部材を押し付けるようにしたことを特徴とする請求項１に記載の建具。
【発明の詳細な説明】
【技術分野】
【０００１】
本発明は、框とこれに取外し自在に嵌め込まれる鏡板とからなる扉、戸、間仕切り等の建具に関するもので、特に、鏡板の意匠を簡単に変更できるようにした建具に関する。
【背景技術】
【０００２】
従来におけるこの種の建具として、鏡板の表面と裏面とに異なった意匠を施しておいて、鏡板を反転させることによって鏡板の意匠を変更できるようにした扉が知られている。また従来の建具として、例えば特許文献１に記載された扉がある。この特許文献１に記載の扉は、扉本体を、透明な表層板と、不透明な基板又は裏打ち材と、透明表層板と基板又は裏打ち材の間に挟み込まれる厚みの薄い装飾部材とで構成し、装飾部材を取り換えることによって鏡板の意匠を変更するようにしたものである。
【特許文献１】特開２００２−１４７１２９号公報
【発明の開示】
【発明が解決しようとする課題】
【０００３】
表裏両面に異なった意匠を施した鏡板を適宜反転させるようにしたものにあっては、原則として２種類しか変更することができない。そして、上記特許文献１に記載の扉では、扉本体が、透明表層板と不透明な基板又は裏打ち材とそれらの間に配置される装飾部材とからなるため、他種類の装飾部材を用意して、それを取り換えることにより、多様な意匠の変更が可能であるが、基板又は裏打ち材が不透明体からなるため、透明な扉として使用することができない。
【０００４】
本発明は、装飾部材を取り換えることによって多様な意匠の変更が可能であると共に、透明な鏡板としても使用可能である建具を提供することを目的とする。
【課題を解決するための手段】
【０００５】
上記課題を解決するための手段を、後述する実施形態の参照符号を付して説明すると、請求項１に係る発明は、上下左右四辺の框部材５，６，７，７からなる框２と、この框２に対し取外し自在に取り付けられる鏡板３とからなる建具において、鏡板３を、透明な基板４と、透明な表面板９と、基板４及び表面板９の間に挟み込まれる厚みの薄い装飾部材８とによって構成すると共に、これら基板４、表面板９及び装飾部材８を互いに着脱自在に構成してなることを特徴とする。
【０００６】
請求項２は、請求項１に記載の建具において、上下左右四辺の框部材５，６，７，７は、夫々本体部５ａ，６ａ，７ａ，７ａの前面側外周縁部に鏡板嵌合溝５ｂ，６ｂ，７ｂ，７ｂを有し、これらの鏡板嵌合溝５ｂ，６ｂ，７ｂ，７ｂに鏡板の上下左右側縁部を嵌合して鏡板３を保持するようにしたもので、何れか一辺の框部材５を取外し自在に構成してなることを特徴とする。
【０００７】
請求項３は、請求項１に記載の建具において、上下左右四辺の框部材５，６，７，７は、夫々本体部５ａ，６ａ，７ａ，７ａの前面側外周縁部に鏡板嵌合溝５ｂ，６ｂ，７ｂ，７ｂを有し、これらの鏡板嵌合溝５ｂ，６ｂ，７ｂ，７ｂに鏡板３の上下左右側縁部を嵌合して鏡板３を保持するようにしたもので、何れか一辺の框部材５を、両端部が他の框部材６，７，７の本体部６ａ，７ａ，７ａと枠組み連結される本体部５ａと、この本体部５ａにスライド自在で取外し自在に被着されるスライド枠１３とで構成し、スライド枠１３の前面側に鏡板嵌合溝５ｂを形成してなることを特徴とする。
【０００８】
請求項４は、請求項１に記載の建具において、上下左右四辺の框部材５，６，７，７は、夫々本体部５ａ，６ａ，７ａ，７ａの前面側外周縁部に鏡板嵌合溝５ｂ，６ｂ，７ｂ，７ｂを有し、これらの鏡板嵌合溝５ｂ，６ｂ，７ｂ，７ｂに鏡板３の上下左右側縁部を嵌合して鏡板３を保持するようにしたもので、何れか一辺の框部材５を、両端部が他の框部材６，７，７の本体部６ａ，７ａ，７ａと枠組み連結される本体部５ａと、前面側に鏡板嵌合溝５ｂを形成した揺動枠２０とで構成し、揺動枠２０の一端部を本体部５ａの一端部側に開閉揺動自在に枢着し、揺動枠２０の他端部を本体部５ａの他端部側にネジ止めするようにしたことを特徴とする。
【０００９】
請求項５は、請求項１に記載の建具において、上下左右四辺の框部材５，６，７，７は、本体部５ａ，６ａ，７ａ，７ａの内周面後端部に夫々鏡板支持部２６を有し、上下両辺側框部材５，６又は左右両辺側框部材７，７の本体部５ａ、６ａの内側面には、押え片２７と取付片２８とからなる断面Ｌ字状の鏡板押え２９の取付片２８を、当該取付片２８に設けた前後方向に長い長孔３０を介してビス３２止めするようにしたことを特徴としている。
【００１０】
請求項６は、請求項１に記載の建具において、框２の内周面側に鏡板３の表面板９を取り付け、框２の裏面側周縁部に係止布３４を取り付けると共に、この係止布３４に係脱自在に係合する係止布３５を基板４の表面側周縁部に取り付け、表面板９の裏面側に装飾部材８を介して基板４を配置して、この基板４側の係止布３５を框２側の係止布３４に係止するようにしたことを特徴とする。
【００１１】
請求項７は、請求項１に記載の建具において、框框２の内周面側に鏡板３の表面板９を取り付け、框２の裏面側周縁部に基板押当用バネ部材３６を設け、表面板９の裏面側に装飾部材８を介して基板４を配置し、この基板４の裏面側周縁部に基板押当用バネ部材３６を押し付けるようにしたことを特徴とする。
【発明の効果】
【００１２】
上記解決手段による発明の効果を、後述する実施形態の参照符号を付して説明すると、請求項１に係る発明によれば、鏡板３を、透明な基板４と、透明な表面板９と、両板４，５間に挟み込まれる厚みの薄い装飾部材８とで構成すると共に、これら基板４、表面板９及び装飾部材８を互いに着脱自在に構成しているから、装飾部材８を取り換えることによって多様な意匠の変更が可能にあると共に、透明又は半透明な鏡板としても使用可能となる。
【００１３】
請求項２に係る発明によれば、框２の何れか一辺の框部材５を取外し自在に構成しているから、その框部材５を取り外すことにより鏡板３をできて、装飾部材８を簡単に交換することができる。
【００１４】
請求項３に係る発明によれば、一辺の框部材５のスライド枠１３を引き外すだけで、鏡板３を挿脱できるから、装飾部材８を簡単容易に交換することができる。
【００１５】
請求項４に係る発明によれば、一辺の框部材５の揺動枠２０を開閉揺動するだけで、鏡板３を挿脱できて、装飾部材８を簡単容易に交換することができる。
【００１６】
請求項５に係る発明によれば、鏡板３の裏面側周縁部を上下左右四辺の框部材５，６，７，７の鏡板支持部２６に支持させ、鏡板３の前面側周縁部に鏡板押え２９の押え片２７を押し当てた状態で、この押え片２７を角筒状本体部５ａ、６ａの内側面にビス３２止めするようにすることで、装飾部材８の厚みが違ったり、基板４や表面板９の厚みが変更された場合も、鏡板３を框２に的確に固定することができる。
【００１７】
請求項６に係る発明によれば、基板４を係止布３４，３５によって取外し自在としているから、装飾部材８の交換が容易となる。
【００１８】
請求項７に係る発明によれば、框２の裏面側に設けた基板押当用バネ部材３６によって基板４を取外し自在としているから、装飾部材８の交換が容易となる。
【発明を実施するための最良の形態】
【００１９】
以下に本発明の好適な実施形態を図面に基づい説明すると、図１は本発明に係る建具としての扉１を示し、図２は、鏡板３を構成する基板４、装飾部材８及び表面板９を互いに間隔をおいて配置した状態の斜視図である。この扉１は、上下左右四辺の框部材５，６，７，７を枠組みしてなる框２と、この框２に対し取外し自在に嵌め込まれる鏡板３とからなるもので、鏡板３は、透明な基板４と、透明な表面板９と、基板４及び表面板９の間に挟み込まれる厚みの薄い装飾部材８とによって構成され、これら基板４、装飾部材８及び表面板９は互いに着脱自在（切り離し自在）に構成されている。
【００２０】
基板４は、透明であると共に適度の強度と耐久性を有する材料からなるもので、例えばアクリル樹脂などの透明プラスチック板、あるいはガラス板が使用される。表面板９は、基板４と同じく、透明であると共に適度の強度と耐久性を有する、アクリル樹脂などの透明プラスチック板、あるいはガラス板が使用される。基板４と表面板９とは同じ厚さであってもよい。また、基板４及び表面板９は、無色透明とする以外に、適当な着色を施した有色透明としてもよい。
【００２１】
装飾部材８は、扉１に所望の装飾を施すためのもので、厚みの薄いものであればよく、材質としては、印刷紙や和紙等の紙類、プラスチックのシートやフィルム、織布、不織布等が使用され、これら紙類やシート等に施される意匠の種類としては、絵、写真、模様、文字等である。好ましい装飾部材８としては、透明プラスチックシート又はフィルムに、例えば印刷により絵、模様、文字等の所望の意匠を施したものがよく、このような装飾部材８であれば、意匠が施された部分以外は透明であるから、このような装飾部材８を基板４と表面板９との間に挟み込んだ鏡板３は、透明又は半透明の鏡板３となる。また、このような透明プラスチックシート等に意匠を施したものの他にも、押し花等を装飾部材８として使用することができる。この場合は、押し花等が透明の基板４と透明の表面板９との間に挟まれるから、鏡板３は押し花等を除いて透明又は半透明となる。
【００２２】
上下左右四辺の框部材５，６，７，７は、アルミなどの金属押出型材からなるもので、図４に示すように、角筒状本体部５ａ，６ａ，７ａ，７ａの前面側外周縁部に鏡板嵌合溝５ｂ，６ｂ，７ｂ，７ｂを有し、これらの鏡板嵌合溝５ｂ，６ｂ，７ｂ，７ｂに鏡板３の周縁部、即ち上下左右側縁部を嵌合して鏡板３を保持するようになっている。下辺側框部材６の角筒状本体部６ａと左右両辺側框部材７，７の角筒状本体部７ａ，７ａとはその突き合わせ端部どうしが溶接によりあるいは連結金具を介して接合されて一体に構成され、そして上辺側框部材５の角筒状本体部５ａは、図１に示すようなＬ字状のコーナー連結金具１０及びビス１８を介して左右両辺側框部材７，７の角筒状本体部７ａ，７ａに対し、取外し可能に連結されるようになっている。尚、Ｌ字状コーナー連結金具１０は、上辺側框部材５の角筒状本体部５ａの背面側端部と左右各辺側框部材７の角筒状本体部７ａの背面側上端部とに亘り当て付けられて、ビス１８止めされる。
【００２３】
従って、框２に鏡板３を嵌め込むには、框２から上辺側框部材５を取り外して、図１に示すような状態とし、しかして基板４と表面板９との間に所望の装飾部材８を挟み込んだ状態の鏡板３の左右両側縁部を、左右両辺側框部材７，７の鏡板嵌合溝７ｂ，７ｂに嵌合させてスライドさせ、鏡板３の下端縁部が下辺側框部材６の鏡板嵌合溝６ｂに嵌合した後、上辺側框部材５を、その嵌合溝５ａが鏡板３の上端縁部に嵌合するようにして左右両辺側框部材７，７に対し、コーナー連結金具１０及びビス１８で接合することによって、扉１を形成する。
【００２４】
こうして形成した扉１に、把手や蝶番等の所要部品を取り付けることによって、例えばキャビネットの扉として使用することができる。
【００２５】
上記したように、この扉１によれば、鏡板３を、透明な基板４と、透明な表面板９と、これら基板４及び表面板９の間に挟み込まれる厚みの薄い装飾部材８とによって構成すると共に、これら基板４、装飾部材８及び表面板９を互いに着脱自在に構成しているから、ユーザーの好みの装飾部材８を使用することによって所望の意匠の鏡板３を形成することができる。またこの鏡板３の形成にあたって、装飾部材８として、例えば透明プラスチックシート又はフィルムに絵、模様、文字等の所望の意匠を施したものを使用することにより、意匠が施された部分以外は透明であるから、鏡板３は透明体又は半透明体となって、この扉１からキャビネット等の内部を透視できるし、また押し花等を装飾部材８として使用すれば、押し花等が透明の基板４と透明の表面板９との間に挟まれるから、鏡板３は押し花等を除いて透明となる。
【００２６】
また、鏡板３を形成するにあたって、装飾部材８を使用しない場合には、装飾部材８を基板４と表面板９との間から抜き取ることによって、基板４及び表面板９の何れもが透明体であるから、鏡板３は完全に透明体となり、また基板４及び又は表面板９が有色透明体の場合には鏡板３は半透明体となり、扉１からキャビネット等の内部を透視できる。
【００２７】
図１に示す実施形態の扉１では、框２の上辺側框部材５を取外し自在としたが、上辺側框部材５に限らず、下辺側框部材６を取外し自在としてもよいし、また左右何れかの側の框部材７を取外し自在としてもよい。
【００２８】
また図１示す実施形態の扉１では、上辺側框部材５全体を、コーナー連結金具９を使用してビス１０により左右両辺側框部材７，７に対し取外し可能に連結しているが、図３に示す実施形態の扉１１では、框２の上辺側框部材５を本体部５ａとスライド枠１３とで構成し、常時は本体部５ａを左右両辺側框部材７，７の本体部７ａ，７ａ及び下辺側框部材６の本体部６ａと共に枠組み連結しておいて、鏡板３の挿脱時にスライド枠１３のみを上辺側框部材５の本体部５ａから引き外すようにしたものである。
【００２９】
即ち、框２の上辺側框部材５は、両端部が左右両辺側框部材７，７の角筒状本体部７ａ，７ａと枠組み連結される本体部５ａと、この本体部５ａにスライド自在で且つ取外し自在に被着されるスライド枠１３とからなるもので、この本体部５ａの左右両端部下面には、左右各辺側框部材７の角筒状本体部７ａの上端部内に嵌着する嵌着用突片１４が夫々突設されており、スライド枠１３の前面側には鏡板嵌合溝５ｂが形成されている。この框２の下辺側框部材６の本体部６ａと左右両辺側框部材７，７の本体部７ａ，７ａとは、図１に示す扉１と同様にそれらの突き合わせ端部どうしが溶接等により接合されて一体に構成されている。
【００３０】
しかして、この上辺側框部材５の本体部５ａを左右両辺側框部材７，７の角筒状本体部７ａ，７ａと枠組み連結するには、図４に示すように、本体部５ａの端部下面に突設された嵌着用突片１４を左右各辺側框部材７の角筒状本体部７ａの上端部に嵌着すればよい。この際、嵌着用突片１４には框部材７の角筒状本体部７ａからビスをねじ込んで固定してもよい。框２に鏡板３を嵌め込む時には、スライド枠１３を本体部５ａから引き抜けば、上辺側框部材５の鏡板嵌合溝５ｂが開放された状態となるから、この状態で左右両辺側框部材７，７の鏡板嵌合溝７ｂ，７ｂに対し鏡板３を差し込むようにすればよい。
【００３１】
また、この扉１１にあっては、上辺側框部材５の本体部５ａを左右両辺側框部材７，７の角筒状本体部７ａ，７ａに連結させただけでは、スライド枠１３が本体部５ａから抜け出る状態にあるため、このスライド枠１３の抜け出しを阻止すると共に本体部５ａ及びスライド枠１３の端面をカバーする止栓１６を図５の(a) ，(b) に示すように取り付ける。即ち、この止栓１６は、栓本体１６ａの下端部に係止爪１６ｏ付き取付片１６ｂ及び位置決め片１６ｃを突設してなるもので、取付片１６ｂを框部材７の角筒状本体部７ａに突入して先端部の係止爪１６ｏを角筒状本体部７ａの係止孔１７に係入させると共に、位置決め片１６ｃを框部材７の鏡板嵌合溝７ｂに嵌合させるようにする。
【００３２】
この実施形態では、上辺側框部材５を本体部５ａとスライド枠１３とから構成したが、この構成は、上辺側框部材５に限らず、下辺側框部材６に適用してもよいし、左右何れかの框部材７に適用してもよい。
【００３３】
図６に示す実施形態の扉２１は、框２の上辺側框部材５を、両端部が左右両辺側框部材７，７の角筒状本体部７ａ，７ａと枠組み連結される角筒状本体部５ａと、前面側に鏡板嵌合溝５ｂを形成した揺動枠２０とによって構成したもので、角筒状本体部５ａを左右両辺側框部材７，７の角筒状本体部７ａ，７ａの上端部間に一体的に連結し、揺動枠２０の一端部を、例えば左側の框部材７の本体部７ａの上端部に枢支部２２により枢着し、揺動枠２０の他端部を右側の框部材７の本体部７ａの上端部に切り離し自在にネジ止めするようになっている。
【００３４】
また図６に示すように、右側の框部材７の本体部７ａの上端部には一対のリング状支持部材２３，２３が並設され、揺動枠２０の遊端部には揺動枠２０が閉じた時にリング状支持部材２３，２３間に介在するリング部材２５が突設されている。従って、框２に鏡板３を差し込む時は、揺動枠２０を図６に示すように開放揺動させた状態とすれば、上辺側框部材５の鏡板嵌合溝５ｂが開放された状態となるから、この状態で左右両辺側框部材７，７の鏡板嵌合溝７ｂ，７ｂに対して鏡板３を嵌め込むようにすればよい。鏡板３を嵌め込んだ後は、揺動枠２０を閉じて、その先端部のリング部材２５をリング状支持部材２３，２３間に挿入し、一方側のリング状支持部材２３から袋状ナット部材２４を挿入し、他方側のリング状支持部材２３からボルト１２を袋状ナット部材２４にねじ込んで締め付けることにより、揺動枠２０を閉じ位置に固定する。
【００３５】
図６の実施形態の扉２１においては、上辺側框部材５の本体部５ａは、その両端面を、左右左右両辺側框部材７，７の角筒状本体部７ａ，７ａの上端部間に当接させて接合させるようにしているが、本体部５ａの両端部下面を左右左右両辺側框部材７，７の角筒状本体部７ａ，７ａの上端面に当接させて接合させるようにした場合は、揺動枠２０の一端部は本体部５ａの一端部上面に枢着し、その遊端部は本体部５ａの他端部上面側でネジ止めすることになる。
【００３６】
図７及び図８は更に他の実施形態を示す。この実施形態の扉３１において、框２の上下左右四辺の框部材５，６，７，７は、角筒状本体部５ａ，６ａ，７ａ，７ａの内周面後端部に夫々鏡板支持部２６を有する。そして、左右両辺側框部材７ａ，７ａ（上下両辺側５ａ，６ａでもよい）の角筒状本体部７ａ，７ａの内側面には、押え片２７と取付片２８とからなる断面Ｌ字状の装飾部材押え（アングル材）２９の取付片２８を、当該取付片２８に設けた前後方向に長い長孔３０を介してビス３２止めするようになっており、角筒状本体部７ａ，７ａの内側面にはネジ孔３３が設けてある。
【００３７】
従って、框２に鏡板３を取り付けるには、鏡板３を框２内に嵌め入れて、鏡板３の裏面側周縁部を、框部材５，６，７，７の角筒状本体部５ａ，６ａ，７ａ，７ａの鏡板支持部２６に支持させた後、この鏡板３の前面側の左右側縁部に夫々鏡板押え２９の押え片２７を押し当てて、鏡板３を鏡板支持部２６に押し付けた状態で、鏡板押え２９の押え片２７を角筒状本体部７ａ，７ａの内側面にビス３２で固定する。この際、鏡板押え２９の取付片２８には框２の前後方向に長い長孔３０が設けてあるため、鏡板３の基板４と表面板９との間に挟み込む装飾部材８の厚みが違う場合、あるいは基板４や表面板９の厚みが変更された場合でも、鏡板押え２９を框２の前後方向に適宜変位させて微調整できるから、鏡板３を框２に対し的確に固定させることができる。
【００３８】
図９の(a) ，(b) は更に他の実施形態を示す。図９の(a) に示す実施形態の扉４１は、框２の内周面側に鏡板３の表面板９を着脱自在に取り付け、框２の裏面側周縁部に係止布３４を取り付けると共に、この係止布３４に係脱自在に係合する係止布３５を基板４の表面側周縁部に取り付け、しかして表面板９の裏面側に装飾部材８を介して基板４を配置し、基板４側の係止布３５を框２側の係止布３４に係止することによって、基板４を框２に取り付けることができる。従って、装飾部材８を交換する場合は、框２側の係止布３４から基板４側の係止布３５を引き剥がせば、基板４を框２から外せるから、装飾部材８を容易に交換できる。この係止布３４，３５としては、マジックテープ（登録商標）が使用される。
【００３９】
図９の(b) に示す実施形態の扉５１は、框２の内周面側に鏡板３の表面板９を着脱自在に取り付け、框２の裏面側周縁部には複数箇所に、例えば板バネからなる基板押当用バネ部材３６をボルト部材３８及びナット部材３７によって取り付け、しかして表面板９の裏面側に装飾部材８を介して基板４を配置し、この基板４の裏面側周縁部に基板押当用バネ部材３６を押し付けることにより、装飾部材８を介して基板４を表面板９に押し付けて取り付け固定するようにしたものである。ナット部材３７は框２に固定し、このナット部材３７に、バネ部材３６の一端部に挿通したボルト部材３８をねじ込むことによって、バネ部材３６を框２に取り付けている。従って、装飾部材８を交換する場合は、各バネ部材３６の一端部を締着しているボルト部材３８を緩める、バネ部材３６の遊端部を摘んで回転させる又は手前側へ引っ張るようにすることなどにより、基板４に対する各バネ部材３６の押し当て力を解放すれば、基板４が框２から外れて、装飾部材８を容易に交換することができる。
【００４０】
尚、框２を形成する框部材５，６，７は、アルミ金属押出型材からなるものが好ましいが、木材やプラスチック材などでも製作することができる。また、框部材５，６，７の断面形状は、実施形態に示される形状以外の断面形状を採用することができ、またその断面形状を工夫することにより様々な取付方法が考えられることから、実施形態のような収納扉に限らず、間仕切りなどにも適用可能である。
【図面の簡単な説明】
【００４１】
【図１】本発明に係る建具の一実施形態である扉１の分解斜視図である。
【図２】扉１の鏡板３を構成する基板４、表面板９及び装飾部材８を互いに間隔をおいて配置した状態の斜視図である。
【図３】(a) は他の実施形態である扉１１の一部分解斜視図、(b) は框２の上辺側框部材５の取付状態を説明する概略斜視図、(c) は框２に鏡板３を嵌め込んだ状態の扉１１の部分斜視図である。
【図４】扉１１における框２の上辺側框部材５の取付状態を説明する拡大詳細斜視図である。
【図５】(a) は止栓１６の取付状態を説明する斜視図、(b) は止栓１６を取り付けた状態の框２の部分正面図である。
【図６】更に他の実施形態である扉２１を示す斜視図である。
【図７】(a) は更に他の実施形態である扉３１の分解斜視図、(b) は框２に鏡板３を嵌め込んだ状態の扉３１の部分斜視図である。
【図８】(a) は鏡板押え２９を示す部分斜視図、(b) は框２に鏡板押え２９を介して鏡板３を取り付けた状態の扉３１の部分断面図である。
【図９】(a) 及び(b) は更に他の実施形態である扉４１，５１を示す縦断面図である。
【符号の説明】
【００４２】
１，１１，２１，３１    扉（建具）
４１，５１              扉（建具）
２                      框
３                      鏡板
４                      基板
５，６，７              框部材
５ａ，６ａ，７ａ，７ａ  框部材の角筒状本体部
５ｂ，６ｂ，７ｂ，７ｂ  框部材の鏡板嵌合溝
８                      装飾部材
９                      表面板
１３                    スライド枠
２７                    押え片
３４，３５              係止布
３６                    基板押当用バネ部材
【図１】
2007085029.tif 000003
【図２】
2007085029.tif 000004
【図３】
2007085029.tif 000005
【図４】
2007085029.tif 000006
【図５】
2007085029.tif 000007
【図６】
2007085029.tif 000008
【図７】
2007085029.tif 000009
【図８】
2007085029.tif 000010
【図９】
2007085029.tif 000011